【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
前記ビデオデータのコード化されたピクチャの表現を形成するビットのシーケンスを含むビットストリームを受信することと、
３つ以上の異なる区分構造を使用した複数のブロックへの前記ビデオデータの前記コード化されたピクチャの区分化を決定すること、ここにおいて、前記３つ以上の異なる区分構造のうちの少なくとも３つは、前記ビデオデータの前記コード化されたピクチャの特定のブロックがどのように区分化されるかを表すツリー構造の少なくとも１つの深度に対して使用され得、前記３つ以上の異なる区分構造は、三分木区分構造と、四分木区分構造と、二分木区分構造とを含む、と、
前記三分木区分構造の三分木区分タイプを使用した前記ビデオデータの前記コード化されたピクチャの少なくとも１つのブロックの前記区分化を決定すること、ここにおいて、前記三分木区分構造は、前記少なくとも１つのブロックの中心線を通って前記少なくとも１つのブロックを分割することなく前記少なくとも１つのブロックを３つのサブブロックへと分割する、と、
前記ビデオデータの前記コード化されたピクチャの前記複数のブロックを再構築することと
を備える、方法。
【請求項２】
前記３つ以上の異なる区分構造の複数のサポートされる区分タイプを示すシンタックス要素を、前記ビットストリームから、受信することと、
前記受信されたシンタックス要素に基づいて、前記ビデオデータの前記コード化されたピクチャの前記区分化を決定することと
をさらに備える、請求項１に記載の方法。
【請求項３】
前記シンタックス要素を受信することは、前記ビットストリームから前記シンタックス要素を受信することを備え、これは、適応型パラメータセット（ＡＰＳ）、シーケンスパラメータセット（ＳＰＳ）、ピクチャパラメータセット（ＰＰＳ）、またはスライスヘッダのうちの１つまたは複数において前記シンタックス要素を受信することを含む、
請求項２に記載の方法。
【請求項４】
前記ビデオデータの前記コード化されたピクチャの前記少なくとも１つのブロックが、対称三分木区分タイプを有する前記三分木区分構造を使用して区分化されることを示すシンタックス要素を受信することと、
前記前記少なくとも１つのブロックの２つのサブブロックが同じサイズを有するような前記ビデオデータの前記コード化されたピクチャの前記前記少なくとも１つのブロックの前記区分化を決定することと
をさらに備える、請求項１に記載の方法。
【請求項５】
前記複数のブロックは、リーフノードに対応するブロックを含み、前記方法は、
前記ビットストリームからシンタックス要素を受信すること、第１の値を有する前記シンタックス要素は、前記リーフノードに対応する前記ブロックと同じサイズを有する変換が前記リーフノードに対応する前記ブロックの残差データに適用されることを示し、第２の値を有する前記シンタックス要素は、前記リーフノードに対応する前記ブロックより小さいサイズを有する複数の変換が前記リーフノードに対応する前記ブロックの前記残差データのサブブロックに適用されることを示す、と、
前記シンタックス要素に従って、前記リーフノードに対応する前記ブロックに１つまたは複数の変換を適用することと
をさらに備える、請求項１に記載の方法。
【請求項６】
ビデオデータを符号化する方法であって、
前記ビデオデータのピクチャを受信することと、
３つ以上の異なる区分構造を使用して前記ビデオデータの前記ピクチャを複数のブロックへと区分化すること、ここにおいて、前記３つ以上の異なる区分構造のうちの少なくとも３つは、前記ビデオデータの前記ピクチャの特定のブロックがどのように区分化されるかを表すツリー構造の少なくとも１つの深度に対して使用され得、前記３つ以上の異なる区分構造は、三分木区分構造と、四分木区分構造と、二分木区分構造とを含む、と、
前記三分木区分構造の三分木区分タイプを使用した前記ビデオデータの前記ピクチャの少なくとも１つのブロックを区分化すること、ここにおいて、前記三分木区分構造は、前記少なくとも１つのブロックの中心線を通って前記少なくとも１つのブロックを分割することなく前記少なくとも１つのブロックを３つのサブブロックへと分割する、と、
前記ビデオデータの前記ピクチャの前記複数のブロックを符号化することと
を備える、方法。
【請求項７】
前記３つのサブブロックのうちのセンタブロックは、前記３つのサブブロックのうちの他の２つのブロックのサイズの合計に等しいサイズを有し、前記３つのサブブロックのうちの前記他の２つのブロックは、同じサイズを有する、
請求項１または６に記載の方法。
【請求項８】
前記四分木区分構造の区分タイプは、正方形四分木区分タイプまたは長方形四分木区分タイプのうちの１つまたは複数を含み、
前記二分木区分構造の区分タイプは、対称二分木区分タイプまたは非対称二分木区分タイプのうちの１つまたは複数を含み、
前記三分木区分構造のための区分タイプは、対称三分木区分タイプまたは非対称三分木区分タイプのうちの１つまたは複数を含む、
請求項１または６に記載の方法。
【請求項９】
前記３つ以上の異なる区分構造の複数のサポートされる区分タイプを示すシンタックス要素を、ビットストリームにおいて、生成すること
をさらに備える、請求項６に記載の方法。
【請求項１０】
前記シンタックス要素を生成することは、ビットストリームから前記シンタックス要素を生成することを備え、これは、適応型パラメータセット（ＡＰＳ）、シーケンスパラメータセット（ＳＰＳ）、ピクチャパラメータセット（ＰＰＳ）、またはスライスヘッダのうちの１つまたは複数において前記シンタックス要素を生成することを含む、
請求項９に記載の方法。
【請求項１１】
前記ビデオデータの前記ピクチャの前記少なくとも１つのブロックが、対称三分木区分タイプを有する前記三分木区分構造を使用して区分化されることを示すシンタックス要素を生成することと、
前記特定のブロックの２つのサブブロックが同じサイズを有するように、前記ビデオデータの前記ピクチャの前記少なくとも１つのブロックを区分化することと
をさらに備える、請求項６に記載の方法。
【請求項１２】
前記複数のブロックは、リーフノードに対応するブロックを含み、前記方法は、
ビットストリームにおいてシンタックス要素を生成すること、第１の値を有する前記シンタックス要素は、前記リーフノードに対応する前記ブロックと同じサイズを有する変換が前記リーフノードに対応する前記特定のブロックの残差データに適用されることを示し、第２の値を有する前記シンタックス要素は、前記リーフノードに対応する前記ブロックより小さいサイズを有する複数の変換が前記リーフノードに対応する前記ブロックの前記残差データのサブブロックに適用されることを示す、と、
前記シンタックス要素に従って、前記リーフノードに対応する前記ブロックの前記残差データに１つまたは複数の変換を適用することと
をさらに備える、請求項６に記載の方法。
【請求項１３】
ビデオデータを復号するように構成された装置であって、
前記ビデオデータを記憶するように構成されたメモリと、
ビデオ復号回路と
を備え、前記ビデオ復号回路は、
前記ビデオデータのコード化されたピクチャの表現を形成するビットのシーケンスを含むビットストリームを受信することと、
３つ以上の異なる区分構造を使用した複数のブロックへの前記ビデオデータの前記コード化されたピクチャの区分化を決定すること、ここにおいて、前記３つ以上の異なる区分構造のうちの少なくとも３つは、前記ビデオデータの前記コード化されたピクチャの特定のブロックがどのように区分化されるかを表すツリー構造の少なくとも１つの深度に対して使用され得、前記３つ以上の異なる区分構造は、三分木区分構造と、四分木区分構造と、二分木区分構造とを含む、と、
前記三分木区分構造の三分木区分タイプを使用した前記ビデオデータの前記コード化されたピクチャの少なくとも１つのブロックの前記区分化を決定すること、ここにおいて、、ここにおいて、前記三分木区分構造は、前記少なくとも１つのブロックの中心線を通って前記少なくとも１つのブロックを分割することなく前記少なくとも１つのブロックを３つのサブブロックへと分割する、と、
前記ビデオデータの前記コード化されたピクチャの前記複数のブロックを再構築することと
を行うように構成される、装置。
【請求項１４】
ビデオデータを復号するように構成された装置であって、
前記ビデオデータのコード化されたピクチャの表現を形成するビットのシーケンスを含むビットストリームを受信するための手段と、
３つ以上の異なる区分構造を使用した複数のブロックへの前記ビデオデータの前記コード化されたピクチャの区分化を決定するための手段、ここにおいて、前記３つ以上の異なる区分構造のうちの少なくとも３つは、前記ビデオデータの前記コード化されたピクチャの特定のブロックがどのように区分化されるかを表すツリー構造の少なくとも１つの深度に対して使用され得、前記３つ以上の異なる区分構造は、三分木区分構造と、四分木区分構造と、二分木区分構造とを含む、と、
前記三分木区分構造の三分木区分タイプを使用した前記ビデオデータの前記コード化されたピクチャの少なくとも１つのブロックの区分化を決定するための手段、ここにおいて、前記三分木区分構造は、前記少なくとも１つのブロックの中心線を通って前記少なくとも１つのブロックを分割することなく前記少なくとも１つのブロックを３つのサブブロックへと分割する、と、と、
前記ビデオデータの前記コード化されたピクチャの前記複数のブロックを再構築するための手段と
を備える装置。